【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
組織の関節鏡治療のために、粘性流体の混合および供給のために関節鏡シースに配置されるデバイスであって、該デバイスは、
該関節鏡シースの軸長に沿って移動可能なように配置された二次の延伸したシースを備え、該二次シースは、向かい合った端部を有し、該端部のうちの一つは、先端部を有し、該先端部は、関節鏡シースの動作端部に位置する、デバイス。
【請求項２】
混合される流体を含むためのミキシングチューブをさらに備えており、該ミキシングチューブは、必要に応じて、該ミキシングチューブの長さに沿って内径を定義しており、該チューブは、混合チャンバを含み、前記二次シースと流体的に連絡しており、前記デバイスが、該流体を混合するために該混合チャンバ内に移動可能なように配置された混合要素をさらに備えている、請求項１に記載のデバイス。
【請求項３】
前記二次シースの前記先端部に前記流体の混合物を供給するために、前記チューブ内に移動可能なように配置されたプランジャをさらに備えている、請求項２に記載のデバイス。
【請求項４】
前記混合要素は、折りたたみ可能なオーガである、請求項２に記載のデバイス。
【請求項５】
前記混合要素は、前記チューブの前記混合チャンバ内において、回転方向および軸方向に移動可能である、請求項２に記載のデバイス。
【請求項６】
前記チューブは、ある量のコラーゲンゲルを含む、請求項２に記載のデバイス。
【請求項７】
前記チューブは、前記混合チャンバから前記二次シースに混合された流体を供給するためのインジェクタを有するシリンジを備えており、前記デバイスは、必要に応じて、前記二次シースの前記他方の端部に配置されたポータルをさらに備えており、該シリンジは、該ポータル内に脱着可能に配置されており、該デバイスは、必要に応じて、該ポータルと該シリンジの該インジェクタとの間に連結接続部をさらに備えている、請求項２に記載のデバイス。
【請求項８】
前記チューブ内の前記流体を加熱するための加熱要素または該チューブ内の該流体を冷却するための冷却要素をさらに備えている、請求項２に記載のデバイス。
【請求項９】
標的部位に流体の混合物を混合および供給するデバイスであって、該デバイスは、
該混合物を含むためのチューブであって、近位端部と遠位端部とを有するチューブと、
該チューブ内に移動可能なように配置され、該流体を混合する圧縮性のオーガであって、該オーガの一端部は、該チューブの該遠位端部において拘束されていない、圧縮性のオーガと、
該チューブ内で移動可能なプランジャであって、該プランジャの第１端部は、該オーガの他方の端部と連絡しており、該プランジャの第２端部は、該チューブの該近位端部から延出し、該プランジャが、該チューブ内の軸上を移動させられるときには、該オーガもまた、軸上を移動し、該オーガは圧縮される、プランジャと
を備えている、デバイス。
【請求項１０】
前記チューブ内に配置された、ある量のコラーゲンをさらに備えている、請求項９に記載のデバイス。
【請求項１１】
混合されるべき前記流体を含むためのカートリッジシステムをさらに備えており、該カートリッジシステムは、必要に応じて、複数のカートリッジを備えており、該複数のカートリッジの各々は、混合されるべき流体を含んでいる、請求項９に記載のデバイス。
【請求項１２】
前記複数のカートリッジの各々は、前記チューブと連絡しており、該チューブ内の前記プランジャの動きは、該チューブの混合チャンバに平行に各流体の特定の割合を引き出す、請求項１１に記載のデバイス。
【請求項１３】
前記カートリッジシステムは、各々が流体を含む２つのカートリッジを備えており、前記チューブ内の前記プランジャの動きは、それぞれのカートリッジから所望の量の各流体を順番に引き出す、請求項１１に記載のデバイス。
【請求項１４】
粘性流体を混合および供給するシステムであって、該システムは、
内部に移動可能なように配置されたプランジャを有し、さらに、該流体を含むための混合チャンバを有するチューブと、
該チューブの該混合チャンバ内に移動可能なように配置され、該流体を混合するオーガと、
該チューブと連絡している、一つ以上の該流体を加熱する加熱器と、
該混合チャンバと連絡している、該流体を供給するインジェクタと
を備えている、システム。
【請求項１５】
前記流体は、前記混合チャンバと連絡している別個のバイアルに含まれており、前記チューブ内の前記プランジャの動きは、該混合チャンバへ該各流体の所望の量を同時に引き出す、請求項１４に記載のシステム。
【請求項１６】
前記流体は、別個のバイアルに含まれており、前記インジェクタは、各バイアルに連続して挿入され、前記チューブ内の前記プランジャの動きは、該インジェクタを介して前記混合チャンバに該各々の流体の所望の量を引き出す、請求項１４に記載のシステム。
【請求項１７】
前記チューブ内に移動可能なプランジャをさらに備えており、該プランジャの第１端部は、前記オーガの他方の端部と連絡しており、該プランジャの第２端部は、該チューブの前記近位端部から延出し、該プランジャが該チューブ内の軸上を移動させられると、該オーガもまた、軸上を移動し、該オーガは、圧縮される、請求項１４に記載のシステム。
【請求項１８】
組織の治療のための粘性流体を混合および供給するデバイスであって、該デバイスは、
向かい合う端部を有するバレルと、
該バレルに配置され、インジェクタと連絡している、混合および供給デバイスであって、該混合および供給デバイスは、該流体を含むためのチューブを備えており、該流体を混合するオーガが、該チューブの混合チャンバ内に移動可能なように配置されており、該インジェクタに該流体の混合物を供給するプランジャが、該チューブ内に移動可能なように配置されている、混合および供給デバイスと、
該バレルの他方の端部に配置されたハンドルと、
該バレルに移動可能なように据え付けられたトリガメカニズムであって、該プランジャを駆動させ、該チューブ内において該プランジャを移動させることによって該混合物を該インジェクタに供給する、トリガメカニズムと、
該バレルに位置し、該インジェクタと連絡して、損傷部位から余分な流体を除去するドライヤメカニズムと、
該バレルに位置し、一つ以上の該流体を加熱させる加熱器と
を備えている、デバイス。
【請求項１９】
混合されるべき前記流体を含むためのカートリッジシステムをさらに備えており、該カートリッジシステムは、必要に応じて、複数のバイアルを備えており、該複数のバイアルの各々は、混合されるべき流体を含んでいる、請求項１８に記載のデバイス。
【請求項２０】
前記オーガは、前記チューブ内に移動可能なように配置された圧縮性のオーガであって、該オーガの一端部は、該チューブの前記遠位端部において拘束されておらず、そして必要に応じて、前記プランジャの第１端部は、該オーガの他方の端部と連絡し、該プランジャの第２端部は、該チューブの前記近位端部から延出しており、該プランジャが該チューブ内の軸上を移動させられると、該オーガもまた、軸上を移動し、該オーガは圧縮される、請求項１または１８に記載のデバイス。
【請求項２１】
前記チューブは、前記遠位端部において放出口を有し、前記プランジャが駆動されるときに該放出口を通して前記混合物が供給され、そして必要に応じて、前記オーガは、該オーガの長さに沿って内部放出路を備えている、請求項１、９または１８に記載のデバイス。
【請求項２２】
治療部位への組織治療材料の関節鏡供給の装置であって、該装置は、
該治療部位から流体を除去する第１シースと、
該治療部位に該組織治療材料を供給し、該第１シースに着脱可能なように装着されている第２シースと、
該第２シースと連絡し、該組織治療材料の一つ以上の要素を混合する混合デバイスと
を備えており、該混合デバイスは、必要に応じて、該二次シースに着脱可能なように接続されている、装置。
【請求項２３】
前記混合デバイスに連絡している前記第２シースに着脱可能なように配置されている、加熱デバイスまたは粘性デバイスをさらに備えている、請求項２２に記載の装置。
【請求項２４】
前記混合デバイスは、内部に移動可能なように配置されたプランジャを有するチューブを備え、該チューブは、前記流体を収容するための混合チャンバと、該チューブの該混合チャンバ内に移動可能なように配置された該流体を混合するオーガとを有しており、該チューブは、近位端部と遠位端部とを有し、該プランジャの第１端部は、該オーガの一端部と連絡し、該プランジャの第２端部は、該チューブの該近位端部から延出し、該プランジャが、該チューブ内の軸上を移動させられるときには、該オーガもまた、軸上を移動し、該オーガは圧縮される、請求項２２に記載の装置。
【請求項２５】
粘性流体を混合および供給するシステムであって、該システムは、
内部に移動可能なように配置されたプランジャを有するチューブであって、該流体を収容するための混合チャンバを有するチューブと、
該チューブの該混合チャンバ内を移動可能なように配置され、該流体を混合するオーガと、
該混合チャンバと連絡して該流体を供給するインジェクタと、
関節鏡シースの軸長に沿って着脱可能なように配置され、該チューブと流体的に連絡している二次の延伸したシースであって、該二次シースは、向かい合った端部を有し、該二次シースの該端部のうちの一つは、先端部を有し、該先端部は、該関節鏡シースの動作端部に位置する、二次の延伸したシースと
を備えている、システム。
【請求項２６】
前記チューブ内に移動可能なように配置され、前記インジェクタに前記流体の混合物を供給するプランジャをさらに備えており、該プランジャの第１端部は、前記オーガの他方の端部と連絡し、該プランジャの第２端部は、該チューブの前記近位端部から延出しており、該プランジャが、該チューブ内を軸上に移動されるときには、該オーガもまた、軸上を移動し、該オーガは、圧縮される、請求項２５に記載のシステム。